(57)【要約】【課題】包囲された収容空間を仕切り、分割使用することができるネット及びその製造方法並びにそれを用いた収納体を得る。【解決手段】隣接する一対の第１の紐１１に編まれるそれぞれの第２の紐１３が交差することで隣接側の第１の紐１１に編まれた後、再び交差して元の第１の紐１１に編まれることで結着部１５が形成され、結着部１５が複数の平行な第１の紐１１に千鳥状に配設されることで網状に編成されたネット１００であって、任意の結着部１５が、第２の紐１３が交差することで隣接側の第１の紐１１に編まれ、所定長隣接側の第１の紐１１に編まれた後、再び交差して元の第１の紐１１に編まれることで第２の紐１３に包囲された小穴状空間部１７を有し、小穴状空間部１７に、雌雄からなる係脱可能な留め具１９のいずれか一方を取り付けた。【選択図】      図１
2007191816.tif 000002
【特許請求の範囲】
【請求項１】
同一平面上で複数の平行な第１の紐が一定間隔で配置され、
それぞれの前記第１の紐に沿って第２の紐が編まれ、
隣接する一対の前記第１の紐に編まれるそれぞれの前記第２の紐が交差することで隣接側の第１の紐に編まれた後、再び交差して元の第１の紐に編まれることで結着部が形成され、
該結着部が前記複数の平行な第１の紐に千鳥状に配設されることで網状に編成されたネットであって、
任意の前記結着部が、前記第２の紐が交差することで隣接側の第１の紐に編まれ、所定長該隣接側の第１の紐に編まれた後、再び交差して元の第１の紐に編まれることで前記第２の紐に包囲された小穴状空間部を有し、
該小穴状空間部に、雌雄からなる係脱可能な留め具のいずれか一方が取り付けられたことを特徴とするネット。
【請求項２】
同一平面上で複数の平行な第１の紐が一定間隔で配置され、
それぞれの前記第１の紐に沿って第２の紐が編まれ、
隣接する一対の前記第１の紐に編まれるそれぞれの前記第２の紐が交差することで隣接側の第１の紐に編まれた後、再び交差して元の第１の紐に編まれることで結着部が形成され、
該結着部が前記複数の平行な第１の紐に千鳥状に配設されることで網状に編成されたネットの製造方法であって、
前記第２の紐を交差させて隣接側の第１の紐に編む工程と、
前記第２の紐を所定長該隣接側の第１の紐に編む工程と、
前記第２の紐を所定長該隣接側の第１の紐に編んだ後、前記第２の紐を再び交差させて元の第１の紐に編むことで前記第２の紐に包囲された小穴状空間部を前記結着部に形成する工程と、
を含むことを特徴とするネットの製造方法。
【請求項３】
請求項１記載のネットが収容空間を包囲するように形成され、
該ネットの一辺部が収容物を出し入れする開口辺部となったことを特徴とする収納体。
【請求項４】
前記開口辺部に交差する方向で前記第１の紐が配置されたことを特徴とする請求項３記載の収納体。
【請求項５】
前記ネットが四角形状に形成され、
前記開口辺部を除く３辺部が被取付体に固定され、
前記雌雄からなる係脱可能な留め具のいずれか他方が前記被取付体に取り付けられたことを特徴とする請求項３又は請求項４記載の収納体。
【請求項６】
前記ネットの結着部に取り付けられた前記留め具に、タブが付設されたことを特徴とする請求項３〜請求項５のいずれか１項記載の収納体。
【請求項７】
前記第１の紐が伸縮性を有することを特徴とする請求項１記載のネット。
【請求項８】
前記第１の紐が伸縮性を有することを特徴とする請求項３〜請求項６のいずれか１項記載の収納体。
【発明の詳細な説明】
【技術分野】
【０００１】
本発明は、ネット及びその製造方法並びにそれを用いた収納体に関し、特に、収容空間を仕切り可能として収納整理を容易にする改良技術に関する。
【背景技術】
【０００２】
例えば、車両や飛行機などの移動手段の座席における背もたれの後側に設けられて雑誌などの小物を一時収納しておくことができる小物入れなどにネットが用いられている。このようなネットとしては、小物入れとして用いられた場合、収納される小物の大きさに適度に対応し、これを保持しえるように、伸縮自在に形成された伸縮性を有するネットポケットが適宜である（特許文献１参照）。
【０００３】
ネットポケットは、伸縮自在に形成された紐体を併設し、その周囲に伸縮性のない紐体を鎖状に編み、さらに、所定箇所で隣接する紐体が連結されるように紐体を繋いで編むことによって網状に構成されている。ゆえに、ネットポケットは網目部分において団子状にならないように形成されている。
【特許文献１】特開平９−１３２８４３号公報
【発明の開示】
【発明が解決しようとする課題】
【０００４】
近年、例えば自家用車両内の後部座席にて映画鑑賞などが行えるが、その機器のリモコン、ヘッドホン、映像ソフトなどを収容する際に、従来のネットポケットが利用される。
しかしながら、従来のネットポケットは、伸縮性に富むため、一つのネットポケットにこれらの補機類を収納すれば、ネットポケット内の収容空間が乱雑となり、次回に必要な補機を取り出すのに手間がかかり、利便性を低下させる問題があった。携帯オーディオ機器とＣＤ、ヘッドホンなどの組合せ、或いは雑誌や新聞などの組合せにおいても同様のことが起こり得た。
【０００５】
本発明は上記状況に鑑みてなされたもので、包囲された収容空間を仕切り、分割使用することができるネット及びその製造方法並びにそれを用いた収納体を提供し、もって、収納物の整理のし易さ、収納物取り出し時の利便性向上を図ることを目的とする。
【課題を解決するための手段】
【０００６】
次に、上記の課題を解決するための手段を、実施の形態に対応する図面を参照して説明する。
本発明の請求項１記載のネットは、同一平面上で複数の平行な第１の紐１１が一定間隔で配置され、
それぞれの前記第１の紐１１に沿って第２の紐１３が編まれ、
隣接する一対の前記第１の紐１１に編まれるそれぞれの前記第２の紐１３が交差することで隣接側の第１の紐１１に編まれた後、再び交差して元の第１の紐１１に編まれることで結着部１５が形成され、
該結着部１５が前記複数の平行な第１の紐１１に千鳥状に配設されることで網状に編成されたネット１００であって、
任意の前記結着部１５が、前記第２の紐１３が交差することで隣接側の第１の紐１１に編まれ、所定長該隣接側の第１の紐１１に編まれた後、再び交差して元の第１の紐１１に編まれることで前記第２の紐１３に包囲された小穴状空間部１７を有し、
該小穴状空間部１７に、雌雄からなる係脱可能な留め具１９のいずれか一方が取り付けられたことを特徴とする。
【０００７】
このネットでは、留め具１９を取り付けるための小穴状空間部１７が、第１の紐１１と第２の紐１３との編成のみで形成することが可能となり、留め具１９が、別部材を使用せずに簡素な網構造のままで取り付け可能となる。
【０００８】
請求項２記載のネットの製造方法は、同一平面上で複数の平行な第１の紐１１が一定間隔で配置され、
それぞれの前記第１の紐１１に沿って第２の紐１３が編まれ、
隣接する一対の前記第１の紐１１に編まれるそれぞれの前記第２の紐１３が交差することで隣接側の第１の紐１１に編まれた後、再び交差して元の第１の紐１１に編まれることで結着部１５が形成され、
該結着部１５が前記複数の平行な第１の紐１１に千鳥状に配設されることで網状に編成されたネット１００の製造方法であって、
前記第２の紐１３を交差させて隣接側の第１の紐１１に編む工程と、
前記第２の紐１３を所定長該隣接側の第１の紐１１に編む工程と、
前記第２の紐１３を所定長該隣接側の第１の紐１１に編んだ後、前記第２の紐１３を再び交差させて元の第１の紐１１に編むことで前記第２の紐１３に包囲された小穴状空間部１７を前記結着部１５に形成する工程と、
を含むことを特徴とする。
【０００９】
このネットの製造方法では、留め具１９を取り付けるための小穴状空間部１７が、第１の紐１１と第２の紐１３との編成のみで形成することが可能となり、別部材を使用しない留め具１９の取付けが実現可能となる。
【００１０】
請求項３記載の収納体は、請求項１記載のネットが収容空間３３を包囲するように形成され、
該ネット１００の一辺部が収容物を出し入れする開口辺部３５となったことを特徴とする。
【００１１】
この収納体では、ネット１００の結着部１５に取り付けられた留め具１９が固定されることで、収容空間３３が複数に分割可能となる。
【００１２】
請求項４記載の収納体は、前記開口辺部３５に交差する方向で前記第１の紐１１が配置されたことを特徴とする。
【００１３】
この収納体では、結着部１５に取り付けられた留め具１９が固定されると、１つの収容空間３３が、開口辺部３５で開口する複数の小収容空間３３ａ，３３ｂに分割される。
【００１４】
請求項５記載の収納体は、前記ネット１００が四角形状に形成され、
前記開口辺部３５を除く３辺部が被取付体２７に固定され、
前記雌雄からなる係脱可能な留め具１９のいずれか他方１９ａが前記被取付体２７に取り付けられたことを特徴とする。
【００１５】
この収納体では、例えば被取付体２７である車両用シート３９の背もたれ部４１背面４１ａにネット１００が固定されることで、被取付体とネット１００によって収容空間３３が形成され、ネット１００と被取付体とに設けられた留め具１９を係合・係合解除することにより、当該収容空間３３が仕切り可能となる。
【００１６】
請求項６記載の収納体は、前記ネット１００の結着部１５に取り付けられた前記留め具１９に、タブが付設されたことを特徴とする。
【００１７】
この収納体では、タブを手指で摘むことにより、留め具１９の係合・係合解除が容易に可能となる。
【００１８】
請求項７記載のネットは、前記第１の紐１１が伸縮性を有することを特徴とする。
【００１９】
このネットでは、収容空間３３が伸縮可能になり、非収容時の容積に比べ大きな体積の収容物が収容可能になる。
【００２０】
請求項８記載の収納体は、前記第１の紐１１が伸縮性を有することを特徴とする。
【００２１】
この収納体では、収容空間３３が伸縮可能になり、非収容時の容積に比べ大きな体積の収容物が収容可能になるとともに、ネット１００が収容物の収容に必要な最小限の容積に収縮可能となる。
【発明の効果】
【００２２】
本発明に係る請求項１記載のネットによれば、結着部が複数の平行な第１の紐に千鳥状に配設され、任意の結着部が、第２の紐が交差することで隣接側の第１の紐に編まれ、所定長隣接側の第１の紐に編まれた後、再び交差して元の第１の紐に編まれることで第２の紐に包囲された小穴状空間部を有し、この小穴状空間部に留め具が取り付けられたので、留め具を取り付けるための小穴状空間部を、第１の紐と第２の紐との編成のみで形成することができ、別部材を使用せずに留め具を簡素な網構造のままで取り付けることができる。これにより、袋状に形成されたネット、或いは被取付体に３辺部を固定したネットにおいて、留め具を固定することにより、ネットで包囲された収容空間を仕切り、分割使用することができる。この結果、収納物の整理のし易さ、収納物取り出し時の利便性を向上させることができる。
【００２３】
請求項２記載のネットの製造方法によれば、第２の紐を交差させて隣接側の第１の紐に編む工程と、第２の紐を所定長該隣接側の第１の紐に編む工程と、第２の紐を所定長隣接側の第１の紐に編んだ後、第２の紐を再び交差させて元の第１の紐に編むことで第２の紐に包囲された小穴状空間部を結着部に形成する工程とを含むので、留め具を取り付けるための小穴状空間部を、別部材を使用せずに、第１の紐と第２の紐との編成のみで形成することができる。
【００２４】
請求項３記載の収納体によれば、請求項１記載のネットが収容空間を包囲するように形成され、ネットの一辺部が収容物を出し入れする開口辺部となるので、結着部に取り付けられた留め具を固定することで、収容空間を複数に分割することができる。
【００２５】
請求項４記載の収納体によれば、開口辺部に交差する方向で第１の紐が配置されたので、結着部に取り付けられた留め具を固定することで、収容空間を、それぞれが開口辺部で開口する複数の小収容空間に分割することができる。
【００２６】
請求項５記載の収納体によれば、ネットが四角形状に形成され、開口辺部を除く３辺部が被取付体に固定され、雌雄からなる係脱可能な留め具のいずれか他方が被取付体に取り付けられたので、例えば被取付体である車両用シートの背もたれ部背面に、ネットからなる仕切り可能な収容空間を容易に確保することができる。
【００２７】
請求項６記載の収納体によれば、ネットの結着部に取り付けられた留め具に、タブが付設されたので、タブを手指で摘むことにより、留め具の係合・係合解除を容易にでき、収容空間の仕切り形成、或いは仕切りの解除を容易にすることができる。
【００２８】
請求項７記載のネットによれば、第１の紐が伸縮性を有するので、伸縮可能な収容空間を形成でき、非収容時の容積に比べ大きな体積の収容物が収容可能になる。
【００２９】
請求項８記載の収納体によれば、第１の紐が伸縮性を有するので、第１の紐が伸縮性を有するので、伸縮可能な収容空間を形成でき、非収容時の容積に比べ大きな体積の収容物が収容可能になるとともに、ネットが収容物の収容に必要な最小限の容積に収縮することとなり、かつ収容物のガタツキも抑制可能となる。
【発明を実施するための最良の形態】
【００３０】
以下、本発明に係るネット及びその製造方法並びにそれを用いた収納体の好適な実施の形態を図面を参照して詳細に説明する。
図１は本発明に係るネットの編成構成図、図２は図１に示した編成構成を有するネットに留め具を設けた平面図、図３は留め具の分解側面図、図４は図２に示したネットを用いて形成された収納体の正面図、図５は４辺に縁帯を設けた収納体の分解斜視図、図６は収納体の設けられた車両用シートの斜視図である。
本実施の形態によるネット１００は、図１に示すように、基本的に、伸縮自在に形成された第１の紐１１を併設し、その周囲に伸縮性のない第２の紐１３を鎖状に編み、さらに、所定箇所で隣接する第１の紐１１が連結されるように第２の紐１３を繋いで編むことによって網状に構成されている。ゆえに、ネット１００は、図２に示すように、結着部１５において団子状にならないように形成されている。
【００３１】
このネット１００の編成構成をさらに詳しく説明すると、図１に示すように、同一平面上で複数の平行な第１の紐１１が一定間隔で配置され、それぞれの第１の紐１１に沿って第２の紐１３が編まれてる。隣接する一対の第１の紐１１、１１に編まれるそれぞれの第２の紐１３が交差することで、隣接側の第１の紐１１に編まれた後、再び交差して元の第１の紐１１に編まれることで結着部１５が形成されている。そして、この結着部１５は、複数の平行な第１の紐１１に千鳥状に配設されることで網状に編成されたネット１００を形成している。
【００３２】
ところで、ネット１００は、任意の結着部１５が、第２の紐１３が交差することで隣接側の第１の紐１１に編まれ、所定長該隣接側の第１の紐１１に編まれた後、再び交差して元の第１の紐１１に編まれることで、第２の紐１３に包囲された小穴状空間部１７を有している。図１においては、隣り合う両第２の紐１３が互いに２回交差して戻り、再び互いに２回交差して戻ることで１つの空間部（小穴状空間部１７）を形成・編成する。この小穴状空間部１７は、ネットとして編成する際の、その編成方向（図１中縦方向）に直交する方向で配置形成される。すなわち第１の紐１１の長手方向に直交して位置することとなる。そして、この小穴状空間部１７には、雌雄からなる係脱可能な留め具１９のいずれか一方が取り付けられている。
【００３３】
図３に示すように、留め具１９は、雄留め具１９ａと、雌留め具１９ｂとからなる。雌留め具１９ｂは、固定鋲２１に貫通部２３を有し、小穴状空間部１７を貫通した貫通部２３に係脱部２５が加締められる。これにより、雌留め具１９ｂは、結着部１５に脱落不能に取り付けられる。一方、雄留め具１９ａは、被取付体２７にビス２９などの固定手段によって固定される。雌留め具１９ｂは、係脱部２５が、雄留め具１９ａの膨出筒部３１の外周に係合・係合解除可能に係脱する。これにより、ネット１００は、結着部１５が、留め具１９を介して被取付体２７に固定、固定解除可能となる。
【００３４】
ネット１００は、第２の紐１３を交差させて隣接側の第１の紐１１に編む工程と、第２の紐１３を所定長この隣接側の第１の紐１１に編む工程と、第２の紐１３を所定長隣接側の第１の紐１１に編んだ後、第２の紐１３を再び交差させて元の第１の紐１１に編むことで、第２の紐１３に包囲された小穴状空間部１７を結着部１５に形成することができる。これにより、留め具１９を取り付けるための小穴状空間部１７を、別部材を使用せずに、第１の紐１１と第２の紐１３との編成のみで形成することができるようになっている。
【００３５】
ネット１００は、図４に示すように、収容空間３３を包囲するような収納体２００として形成される。ネット１００の一辺部は、不図示の収容物を出し入れする開口辺部３５となって開放される。ネット１００が収容空間３３を包囲するように形成され、ネット１００の一辺部が収容物を出し入れする開口辺部３５となることで、結着部１５に取り付けられた留め具１９を固定することで、収容空間３３を複数に分割することができるようになる。
【００３６】
ここで、第１の紐１１は、開口辺部３５に交差する方向で配置される。図４に示す例では第１の紐１１が開口辺部３５に直交する方向で延在するとともに、各結着部にて屈曲して略４５度の傾斜角度となるように交差している。すなわち略菱形状に網目が形成される。このように、開口辺部３５に交差する方向で第１の紐１１が配置されることで、結着部１５に取り付けられた留め具１９を固定することで、複数の留め具１９は縦一列に配置し、収容空間３３を、それぞれが開口辺部３５で開口する複数の小収容空間３３ａ，３３ｂに分割することができるようになる。
【００３７】
図４の例では、ネット１００を四角形状に形成し、開口辺部３５を除く３辺部が枠帯３７によって被取付体２７に固定される。そして、雌雄からなる係脱可能な留め具１９は、雄留め具１９ａが被取付体２７に取り付けられることになる。このように、収納体２００は、ネット１００が四角形状に形成され、開口辺部３５を除く３辺部が被取付体２７に固定され、雌留め具１９ｂが被取付体２７に取り付けられることで、例えば図６に示すように、被取付体２７である車両用シート３９の背もたれ部４１背面４１ａに、ネット１００からなる仕切り可能な収容空間３３を容易に確保することができるようになる。
【００３８】
また、ネット１００は、図５に示すように、縁帯４１をネット１００の外周縁に縫着してもよい。この際、例えば縁帯４１は幅方向中央で折曲される構造とし、その間にネット１００の外周縁を挟持するようにして縫着される。縁帯４１のネット１００への縫着に関しては、いわゆる千鳥縫いによって縫着されることにより、縫目が伸縮に対応するとともに、容易に縁帯４１がネット１００から外れないようになる。
【００３９】
なお、ネット１００を形作る際に、ネット１００の外周縁を切断することになるが、上記のような四角形状の場合には、ネット１００自体の編み幅を編成時に調整することで四角形の対向２辺の長さを設定でき、その編み方向（長手方向）の両端にて切断しその切断を超音波による溶断、或いは熱による溶断によって行うことにより、ネット１００の切断面の各紐が解ける虞がない。さらに、縁帯４１を切断する必要がある際にも同様に溶断することにより、同様の効果を得ることができる。
【００４０】
また、図示は省略するが、ネット１００の結着部１５に取り付けられた留め具１９には、軟質樹脂や皮革、合成皮革、樹脂板、リング状フックなどからなるタブの付設されることが好ましい。このようなタブが付設されることで、タブを手指で摘むことにより、留め具１９の係合・係合解除、特に係合の解除である雌雄留め具の離脱を容易にでき、収容空間３３の仕切り形成、或いは仕切りの解除を容易にすることができる。
【００４１】
したがって、このネット１００によれば、結着部１５が複数の平行な第１の紐１１に千鳥状に配設され、任意の結着部１５が、第２の紐１３が交差することで隣接側の第１の紐１１に編まれ、所定長隣接側の第１の紐１１に編まれた後、再び交差して元の第１の紐１１に編まれることで第２の紐１３に包囲された小穴状空間部１７を有し、この小穴状空間部１７に留め具１９が取り付けられたので、留め具１９を取り付けるための小穴状空間部１７を、第１の紐１１と第２の紐１３との編成のみで形成することができ、別部材を使用せずに留め具１９を簡素な網構造のままで取り付けることができる。
【００４２】
これにより、袋状に形成されたネット１００、或いは被取付体２７に３辺部を固定したネット１００においても、留め具１９を固定することにより、ネット１００で包囲された収容空間３３を仕切り、分割使用することができる。この結果、収納物の整理のし易さ、収納物取り出し時の利便性を大幅に向上させることができるようになる。
【００４３】
また、第１の紐１１が伸縮性を有するので、伸縮可能な収容空間３３を形成でき、非収容時の容積に比べ大きな体積の収容物が収容可能になる。これに加え、収納体２００では、ネット１００が収容物の収容に必要な最小限の容積に収縮することとなり、かつ収容物のガタツキも抑制可能となる。
【００４４】
なお、上述の実施の形態では、結着部１５を、ネット１００の所定の１列に設けた例を図とともに示したが、複数列配置することとしてもよい。このように複数列とすることで、仕分け箇所を複数箇所設けることが可能となり、ネットポケットとして使用する際でのい収容物の仕分けを細分化でき、また、収容物の大きさに合せて留め具１９による仕切り位置の変更が可能となる。
【００４５】
また、上述した実施の形態では、車両用シート３９の背もたれ部４１背面４１ａに、仕切り可能なネット１００を設けた例を示したが、その他車内室内壁面に設ける構成や、建物室内の壁面に設ける構成、机などの什器に設ける構成や、鞄などの収容体の内面、或いは外面に配置構成する例としてもよい。さらに、上記した実施の形態では、第１の紐に伸縮性を備えた構成としたが、伸縮性に富まないものでもよく、その場合には、例えば、服装のポケットとして構成したり、収容するものが立体的でない場合に利用でき、例えば机引き出し内のポケットなど種々構成可能となる。
【図面の簡単な説明】
【００４６】
【図１】本発明に係るネットの編成構成図である。
【図２】図１に示した編成構成を有するネットに留め具を設けた平面図である。
【図３】留め具の分解側面図である。
【図４】図２に示したネットを用いて形成された収納体の正面図である。
【図５】４辺に縁帯を設けた収納体の分解斜視図である。
【図６】収納体の設けられた車両用シートの斜視図である。
【符号の説明】
【００４７】
１１…第１の紐
１３…第２の紐
１５…結着部
１７…小穴状空間部
１９…留め具
２７…被取付体
３３…収容空間
３５…開口辺部
１００…ネット
２００…収納体
【図１】
2007191816.tif 000003
【図２】
2007191816.tif 000004
【図３】
2007191816.tif 000005
【図４】
2007191816.tif 000006
【図５】
2007191816.tif 000007
【図６】
2007191816.tif 000008